(57)【要約】【課題】新たなＸ線分析システムにおいて、単色化光学素子の製造および取り付けを行う際に現れる課題に対処すること。【解決手段】湾曲単色化Ｘ線光学素子２０５，２０７は、Ｘ線エネルギーを受けて向きを変えるための形状に塑性変形させた単一層の材料を含む。高度に位置合わせされた複数の湾曲Ｘ線光学素子を有する支持構造体は、光学素子が取り付けられる部分的または完全な同心状の複数の内部表面を有することで、光学素子の中心光軸に沿って、ないしは支持構造体を組み合わせて使用可能である線源、サンプル、および／または検出器に対して、光学素子が位置合わせされる。方法は、単一層の材料を加熱すること、および、冷却後に曲げ形状が保持されるように加熱の間に前記層を曲げることを含む。【選択図】図５
2017134086.tif 000002
【特許請求の範囲】
【請求項１】
Ｘ線エネルギーを受けて向きを変えるための形状に塑性変形させた単一層の材料を含むことを特徴とする湾曲単色化Ｘ線光学素子。
【請求項２】
前記材料がＬｉＦであることを特徴とする請求項１に記載の湾曲単色化Ｘ線光学素子。
【請求項３】
単湾曲のものまたは二重湾曲のものであることを特徴とする請求項１に記載の湾曲単色化Ｘ線光学素子。
【請求項４】
高度に位置合わせされた複数の湾曲Ｘ線光学素子を有する支持構造体であって、前記光学素子が取り付けられる部分的または完全な同心状の複数の内部表面を有することで、前記光学素子の中心光軸に沿って、ないしは前記支持構造体を組み合わせて使用可能である線源、サンプル、および／または検出器に対して、前記光学素子が位置合わせされることを特徴とする支持構造体。
【請求項５】
前記光学素子は複数のセグメントを含み、各セグメントが湾曲形状に曲げられて、前記支持構造体内の湾曲パターンに配置されていることを特徴とする請求項４に記載の支持構造体。
【請求項６】
第１のＸ線光学素子がＸ線源からの第１エネルギーを単色化し、第２光学素子が前記Ｘ線源からの第２エネルギーまたは制動放射エネルギーを単色化することを特徴とする請求項４に記載の支持構造体。
【請求項７】
前記Ｘ線光学素子が集束単色化光学素子であることを特徴とする請求項４に記載の支持構造体。
【請求項８】
前記Ｘ線光学素子が、二重湾曲結晶光学素子またはＨＯＰＧ光学素子または多層光学素子であることを特徴とする請求項４に記載の支持構造体。
【請求項９】
前記光学素子が、単層の塑性変形したＬｉＦ光学素子を備えていることを特徴とする請求項４に記載の支持構造体。
【請求項１０】
単一層の材料を加熱すること、および、冷却後に曲げ形状が保持されるように加熱の間に前記層を曲げること、を含むことを特徴とする湾曲単色化Ｘ線光学素子を形成する方法。
【請求項１１】
前記材料がＬｉＦであることを特徴とする請求項１０に記載の方法。
【請求項１２】
前記光学素子が単湾曲のものまたは二重湾曲のものであることを特徴とする請求項１０に記載の方法。
【請求項１３】
前記Ｘ線光学素子が集束単色化光学素子であることを特徴とする請求項１０に記載の方法。
【請求項１４】
前記Ｘ線光学素子が、二重湾曲結晶光学素子またはＨＯＰＧ光学素子または多層光学素子であることを特徴とする請求項１０に記載の方法。
【請求項１５】
前記光学素子が、単層の塑性変形したＬｉＦ光学素子を備えていることを特徴とする請求項１０に記載の方法。
【発明の詳細な説明】
【技術分野】
【０００１】
本出願は、２０１１年１０月２６日に出願された特許文献１の利益を主張するものであり、参照によりその全体が本明細書に組み込まれるものとする。
【０００２】
本出願はまた、２００５年８月２３日に発行され、「XRF System Including Focusing Optic on Excitation Side and Monochromatic Collection」と題された特許文献２、２０１０年６月１６日に発行され、「Highly Aligned X-Ray Optic and Source Assembly for Precision X-Ray Analysis Applications」と題された特許文献３、および、２０１１年７月１４日に公開され、「XRF System Having Multiple Excitation Energy Bands in Highly Aligned Package」と題された特許文献４に関連する。これらは本発明の譲受人であるX-Ray Optical Systems, Inc.に譲渡されており、参照により各々の全体が本明細書に組み込まれるものとする。
【背景技術】
【０００３】
現在の状況、例えば玩具中の毒素の発見、環境空気および水の問題、そしてもたらされた規制は、有毒な要素の決定のための分析器が緊急に必要であることを指示している。高度な蛍光Ｘ線（ＸＲＦ）分析装置は、種々の試料中の関心のあるそのような毒素および他の多くの物質、例えば消費者向けの製品中の毒素および石油製品中の様々な有害な要素の定量化に重要な役割を果たし得る。
【０００４】
顕著な例として、製造者、供給業者、流通業者、小売業者および規制当局は、多種多様な消費財の有毒要素分析のための長期的な解決策を必要としている。多くの新しい規制では、例えば鉛（Ｐｂ）、水銀（Ｈｇ）、砒素（Ａｓ）、カドミウム（Ｃｄ）、クロム（Ｃｒ）、臭素（Ｂｒ）、セレン（Ｓｅ）、アンチモン（Ｓｂ）、バリウム（Ｂａ）および塩素（ＣＩ）などの多くの要素を検出することを製造業者に求めている。ＥＵの規制では、均質な材料中の最大濃度は、六価クロム（Ｃｒ6+）、Ｈｇ、Ｐｂ、ポリ臭化ビフェニル（ＰＢＢ）およびポリ臭化ジフェニルエーテル（ＰＢＤＥ）については１，０００ｐｐｍであり、Ｃｄについては１００ｐｐｍである。子供向け製品に対する米国の新規則（ＣＰＳＩＡ）は遥かに厳格である。例えば、玩具や子供向け宝石における鉛の最大許容レベルは、製品へのアクセスが可能ないかなる部分においても１００ｐｐｍ以下である。
【０００５】
現在の測定方法は、十分に正確ではあるが工場フロアで使用できないものであるか、または、工場フロアでの使用に便利ではあり得るが感度および反復性が大幅に足りないものであるか、のいずれかである。結果として、このアプリケーションの真の目的に合った分析器が必要とされている。
【０００６】
より一般的には、製造施設においてアットラインまたはオンラインのいずれかで、あるいは流通網のいずれの場所においても、単一の機器で重要かつ決定的な測定を実行するために、迅速で、信頼性が高く、便利で、破壊的でなく、高感度であり、定量的で、費用対効果のある分析器についての強い市場ニーズがある。汚染された製品は、偶発的な生産廃棄物およびエラーを実質的に緩和ないしは除去する、プロセスで最も有利な場所で排除することができる。同様の能力は、流通のいくつかの段階で、あるいは材料や製品の適合性を検証するための規制当局によっても、強く要望されている。
【０００７】
Ｘ線分析システムでは、サンプルの曝露時間を減少させ、空間分解能を向上させ、その結果として、信号対バックグラウンド比およびＸ線分析測定の全体的な品質を改善するために、高いＸ線ビーム強度および小さいビームスポットサイズが重要となる。以前は、研究所における回転陽極Ｘ線管またはシンクロトロンなどの高価で強力なＸ線源が、高強度のＸ線ビームを生成するのに利用できる唯一の選択肢であった。最近では、Ｘ線光学系の発展により、Ｘ線を集束することによってＸ線源からの発散放射の収集が可能となっている。Ｘ線集束光学系と小型・低電力のＸ線源と組み合わせることで、大型・大電力でより高価な装置で達成されるものに匹敵する強度をもつＸ線ビームを生成することができる。その結果、小型にして低廉なＸ線源、励起光学素子および集光光学素子との組み合わせに基づくシステムが、例えば小さな研究室や、フィールド、工場あるいは診療所などにおいても、Ｘ線分析装置の可用性および能力を大幅に拡大している。
【０００８】
励起および／または検出経路内のＸ線ビームの単色化もまた、関心のある種々の要素（鉛など）様々な要素に正確に対応するＸ線エネルギースペクトルの部分を励起および／または検出する上で有用である。Ｘ線単色化技術は、例えばゲルマニウム（Ｇｅ）またはシリコン（Ｓｉ）結晶などの光学結晶のＸ線の回折に基づいている。湾曲結晶は、Ｘ線源からターゲット上へと発散する放射線の偏向を提供するだけでなく、ターゲットに到達するフォトンの単色化を提供することができる。湾曲結晶の２つの代表的なタイプは、単湾曲結晶（singly-curved crystal）類と二重湾曲結晶（doubly-curved crystal；ＤＣＣ）類として知られている。ローランド円の幾何学的形状として当技術分野で知られているものを使用することで、単湾曲結晶は、第３すなわち直交面内ではＸ線放射を集束させないまま、２次元での集束を提供する。二重湾曲結晶は、３次元のすべてで、線源から点ターゲットへのＸ線の集束を提供する。この３次元集束は、当該技術分野において「二地点間（point-to-point）」集束と称されている。
【先行技術文献】
【特許文献】
【０００９】
【特許文献１】米国仮特許出願第６１/５５１，６０２号明細書
【特許文献２】米国特許第６，９３４，３５９号明細書
【特許文献３】米国特許第７，７３８，６３０号明細書
【特許文献４】米国特許出願公開２０１１／０１７０６６６号明細書
【特許文献５】米国特許第７，０７２，４３９号明細書
【特許文献６】国際公開第２００９／１１１４５４号公報
【特許文献７】米国特許第６，２８５，５０６号明細書
【特許文献８】米国特許第６，３１７，４８３号明細書
【特許文献９】米国特許第７，０３５，３７４号明細書
【特許文献１０】米国特許第７，７３８，６２９号明細書
【特許文献１１】米国特許第５，１９２，８６９号明細書
【特許文献１２】米国特許第５，１７５，７５５号明細書
【特許文献１３】米国特許第５，４９７，００８号明細書
【特許文献１４】米国特許第５，７４５，５４７号明細書
【特許文献１５】米国特許第５，５７０，４０８号明細書
【特許文献１６】米国特許第５，６０４，３５３号明細書
【特許文献１７】米国特許第７，１１０，５０６号明細書
【特許文献１８】米国特許第７，２０９，５４５号明細書
【発明の概要】
【発明が解決しようとする課題】
【００１０】
本発明は、新たなＸ線分析システム（寸法、重量、電力およびコストの削減とともに、性能および位置合わせの改善は依然として必要とされている）において、単色化光学素子の製造および取り付けを行う際に現れる課題に対処するものである。
【課題を解決するための手段】
【００１１】
本発明は、Ｘ線分析システムにおける単色化光学素子の製造、位置合わせおよび取り付けを行う際に現れる課題に対処する。そのことに関連し、一形態における本発明は、高度に位置合わせされた複数の湾曲Ｘ線光学素子を有する支持構造体であり、該支持構造体は、前記光学素子が取り付けられる部分的または完全な同心状の複数の内部表面を有し、それにより、前記光学素子の中心光軸に沿って、ひいては、前記支持構造体を組み合わせて使用可能である線源、サンプル、および／または検出器に対して、前記光学素子が位置合わせされる。
【００１２】
前記表面は、中心光軸の周りで入れ子式のものとすることができ、支持構造体は、中心光軸の周りで、壁により長手方向セクションに分割されたものとすることができる。
【００１３】
Ｘ線光学素子の少なくとも一つは、発散Ｘ線ビームを受け、焦点領域にビームを集束するために、一実施形態では集束単色化光学素子である湾曲回折光学素子（curved diffracting optic）を含む。
【００１４】
改良された実施形態では、光学素子は、単層の塑性変形したＬｉＦ光学素子を備えている。
【００１５】
光学素子は複数のセグメントを含んでもよく、各セグメントは湾曲形状に曲げられて、支持構造体内の湾曲パターンに配置される。
【００１６】
第１のＸ線光学素子はＸ線源からの第１エネルギーを単色化することができ、第２光学素子はＸ線源からの第２エネルギーまたは制動放射エネルギーを単色化することができる。
【００１７】
別の実施形態において、本発明は、湾曲単色化Ｘ線光学素子およびその形成方法に係り、Ｘ線エネルギーを受けて向きを変えるための形状に塑性変形させた単一層の材料を含む。その材料はＬｉＦであってもよく、光学素子は単湾曲でも二重湾曲でもよい。
【００１８】
光学素子は、単一層の材料を加熱し、加熱しながらその層を曲げ、冷却後にもその曲げ形状が保持されるようにすることによって、本明細書に開示される支持構造体への容易な取り付けを可能にする構造的な剛性をもつように形成することができる。
【００１９】
さらに、付加的な特徴および利点は、本発明の技術によって実現される。本発明の他の実施形態および態様は、特許請求の範囲の発明の一部として考察される。
【００２０】
本発明と見なされる主題は、本明細書に添付した特許請求の範囲に特に示され、明確に記載される。本発明の前述および他の目的、特徴および利点は、添付の図面から明らかである。
【図面の簡単な説明】
【００２１】
【図１】本発明の支持構造体および光学素子とともに使用可能な、例示的ＭＷＤ ＸＲＦ Ｘ線エンジンの模式図である。
【図２】本発明の支持構造体および光学素子とともに使用可能な、例示的ＭＥ ＥＤＸＲＦ Ｘ線エンジンの模式図である。
【図３】本発明の一形態に係る光学素子支持構造体を、未装着状態で示す端面図である。
【図４】本発明の一形態に係る光学素子支持構造体を、未装着状態で示す斜視図である。
【図５】本発明の一形態に係る光学素子支持構造体を、単一ピースの単色化光学素子を装着した状態で示す端面図である。
【図６】本発明の一形態に係る光学素子支持構造体を、単一ピースの単色化光学素子を装着した状態で示す斜視図である。
【図７】本発明の一形態に係る完成した４層単色化光学素子を示す。
【図８Ａ】他の実施形態の点集束二重湾曲単色化光学素子を示す。
【図８Ｂ】Ａ−Ａ線に沿って取った図８Ａの断面を示している立面図である。
【図９】上述した光学素子構造体の同様のまたは異なる複数の例（instance）を用いる集束湾曲単色化光学素子を示す（且つ、ローランド円の幾何学的形状を示している）。
【図１０Ａ】本発明に係る単一層の１次元湾曲光学素子の斜視図である。
【図１０Ｂ】本発明に係る単一層の２次元湾曲光学素子の斜視図である。
【図１１】本発明の一形態に係る、サンプル上に懸架されたＸ線エンジンを有する分析器の斜視図である。
【図１２】本発明の一形態に係る、例示的なハンドヘルドＸ線分析装置および関連するヒューマン・インターフェース・モジュールの斜視図である。
【図１３】図１１および／または図１２の分析器の例示的なグラフィカル・ユーザ・インターフェースである。
【発明を実施するための形態】
【００２２】
上述したように、単色化および集束光学素子は、Ｘ線分析器に利益をもたらすことができる。このような分析器のための２つの「エンジン」、ＭＷＤ ＸＲＦとＭＥ−ＥＤＸＲＦによるアプローチについて簡単に説明する。
【００２３】
例示的なＭＷＤＸＲＦ Ｘ線分析エンジン
本発明の譲受人は、図１に概略的に示されるような、２つの単色化光学素子セットを用いる波長分散型Ｘ線蛍光（Monochromatic Wavelength Dispersive X-ray Fluorescence；ＭＷＤ ＸＲＦ）分析器を先に開示している（特許文献３および特許文献５；参照によりそれらの全体が本明細書に包含される）。ディーゼル燃料およびその他の燃料留分中の硫黄測定に関連したＳＩＮＤＩＥ（Sulfur IN DIEsel）製造ラインはＸＲＦを根本的に変えており、次を含む多くの利点をもたらしている。すなわち、（１）信号／バックグラウンド（Ｓ／Ｂ）が、ＤＣＣ１によるサンプルの単色励起に基づいて改善されること、すなわち、蛍光ピークより下のエネルギーをもつ制動放射の光子（関心のあるそれらのピークは通常圧倒されている）は、散乱を通じて検出器に到達することのみが可能であり、それにより、多色励起に比べて飛躍的にＳ／Ｂ比が改善されること、（２）優れたエネルギー分解能がすべての一般的な干渉問題を排除し、上流側のアプリケーションに対して物理的根拠を提供すること、（３）本質的な堅牢性および低メンテナンス性：可動部および気体の消費がなく、分析エンジンが低消費電力で小型であること、および（４）かつてないダイナミックレンジ（例えば０．３ｐｐｍ〜５％のサンプル中の硫黄）、である。
【００２４】
図１に模式的に示すＭＷＤ ＸＲＦエンジン１０は、サンプル１２上に焦点領域を形成する励起および検出経路に湾曲した単色化光学素子１４を含んだ、上述のＳＩＮＤＩＥ硫黄分析器の形態である。しかしながら、これらの経路に１つの光学素子のみがあってもよいが、それでも正確な位置合わせは必要である。一例では、本明細書に記載のタイプのいずれかの光学素子が励起経路に１つだけ存在し、検出経路にはエネルギー分散型検出器が含まれていてもよい。これは、エネルギー分散型蛍光Ｘ線（ＥＤＸＲＦ）システムの一般的な構成である。
【００２５】
例示的なＭＥ ＥＤＸＲＦ Ｘ線分析エンジン
単色励起のエネルギー分散型Ｘ線蛍光（ＭＥ−ＥＤＸＲＦ）分析器はまた、本明細書に説明した光学技術の恩恵を受けることができる。かかるエンジン技術は、例えば、特許文献４および「HIGHLY ALIGNED PACKAGE IN MULTIPLE」と題された特許文献６（ともに譲渡されている）に開示されており、参照によりそれらの全体が本明細書に包含されるものとする。一実施形態では、このエンジン２０は、図２に模式的に示されているようにＨＤ ＸＲＦとして知られている単色励起を伴う。ＨＤ ＸＲＦは、従来のＥＤまたはＷＤ ＸＲＦを超える大幅に強化された検出性能を提供する多元素分析手法（multi-element analysis technique）である。この技術は、複数の最先端の単色化および集束光学素子を適用してサンプル上の焦点領域２２を照明し、サンプル上の広範なターゲット元素を効果的に励起する複数選択エネルギーの励起ビームを可能にする。単色励起は蛍光ピークの下の散乱バックグラウンドを劇的に低減し、元素の検出限界と精度を大幅に高める。ＨＤ ＸＲＦは直接測定技術であって、消耗品ないしは特別なサンプル調製を必要としない。
【００２６】
単色化光学素子のための例示的な支持構造
上述のような高度なＸ線分析器は、複数のＸ線光学素子のための改良された取り付け装置、および／または、ともに単一の光学素子を近似する複数のセクションから形成された光学素子を必要とする。（本明細書において光学素子という語は、単一のセグメント、投射Ｘ線の集束および／または単色化に用いられるその大部分または全体、もしくは、複数のセグメントにおける個々のセグメント、組み合わされて作動して投射Ｘ線の集束および／または単色化を行うその全体を含むものとして広く使用される。）図３〜図４を参照するに、高度に位置合わせされる複数の光学素子のための、本発明に係る支持構造体１００が示されている。構造体は、光学素子を取り付け可能な、部分的または全体的に同心の内表面１０２および１０４、および／または、光学素子を取り付け可能な、その他のタブ状ガイドすなわち構造物１０６を有することができる。それらの表面は、図示のように中心光軸の周りで入れ子式となっていてもよい。構造体は、本明細書およびここに包含した文献に開示されたものも含めて、本発明に係るＸ線光学素子を取り付けるために使用することができる。構造体は、単体の金属構造に鋳造されたものであってもよいし、個々の（例えば金属の）シートから形成されたものであってもよい。
【００２７】
図５〜図６の装着状態での構造体２００に示されるように、部分的または完全な円形状の光学素子２０３，２０５，２０７が取り付けられており、例えば、それらの入力および／または出力側の焦点は中心軸に沿って位置合わせされている。取り付けは、接着剤または他の接着化合物、もしくは他の機械的取付け機能を使用して行うことができる。この例のように、「低エネルギー」光学素子２０３は、約２４０度の回転角度にわたって、２つのセグメントから形成されていてもよく、「中エネルギー」光学素子２０５および「高エネルギー」光学素子２０７は、図示のように支持構造物の全３６０度の回転角度にわたって、３つのセグメントから形成されていてもよい。本実施の形態では、後述するように、光学素子２０３は層状光学素子であり、光学素子２０５および２０７は単一層の光学素子を含んでいる。
【００２８】
本支持構造は、次のような特徴および利点を含んでいる。
【００２９】
・製造の間、Ｘ線エンジンの他の能動部品（すなわち、線管および検出器の部分）への挿入を必要とすることなく、光軸に沿って光学素子を位置合わせできること。正確に製造され、位置合わせされた支持構造体を用いることで、光学素子が構造体に装着されると、自動的にその中心軸に対して（および、例えば図１および図２のように、線管、サンプルおよび／または検出器に対して）位置合わせされ、装着状態の構造体がエンジン内に挿入されると（製造過程の後半部分において）、光学素子は自動的にエンジン内で位置合わせされる。これは、製造工程の早期の段階でエンジン内に個々の光学素子を位置合わせする、コストと時間がかかる工程を不要とする。
【００３０】
・少ない部品数。取り付け用化合物を用いる好適実施形態では、独立した機械的な取り付け部品が不要となる。
【００３１】
・支持構造体への、および支持構造体からの照射経路を制御する円形のＸ線開口部（不図示）。これは支持構造体円形の端部に容易に取り付け可能である。
【００３２】
・強力な円筒構造の形態としたこと、および、１２０度の内部セクションを形成し、さらなる強度を呈するよう３つの支持内壁を設けたことによる堅牢性。これは、落下にさらされ得るハンドヘルド分析器（図１２）にとって特に重要である。
【００３３】
支持構造体に取り付け可能な例示のタイプの光学素子については、図５〜図６の装着状態での構造体に関して次に説明する。しかしながら、Ｘ線光学素子は概して、例えば、共通して譲渡されている特許文献７、特許文献８、特許文献９および特許文献１０に開示されているような湾曲結晶の単色化光学素子、および／または、多層光学素子、および／または、共通して譲渡されている特許文献１１、特許文献１２、特許文献１３、特許文献１４、特許文献１５および特許文献１６に開示されているような多管型（polycapillary）光学素子を含むことができる。共通して譲渡されている特許文献１７および特許文献１８に開示されているような光学素子／線源の組み合わせを用いることもできる。上述の特許および特許出願の各々は、参照によりその全体が本明細書に組み込まれる。
【００３４】
低エネルギーのＤＣＣ光学素子−２０３
単なる例として、異なる２つのタイプの例示的な低エネルギー光学素子について説明する。一方は５．４ｋｅＶの回折エネルギーと８０ｍｍの入射側焦点距離（ＩＦＤ）をもち、他方は７ｋｅＶの回折エネルギーと１２０ｍｍのＩＦＤを有したものとすることができる。よりコンパクトなシステムが望まれている場合には、入射側焦点距離をより短くする設計がなされる。２つの例示的結晶材料が開示され、それはゲルマニウム（Ｇｅ）（１１１）およびペンタエリスリトール（ＰＥＴ）（００２）である。
【００３５】
中エネルギーのＤＣＣ光学素子−２０５
異なる結晶材料、シリコン（Ｓｉ）およびフッ化リチウム（ＬｉＦ）を用いる異なる２つのタイプの中エネルギー光学素子が開示される。光学素子の性能を最大にする目的で、光学素子によって選択されたターゲットエネルギーは、陽極ターゲット材料からの強い特性線である必要がある。１７．５ｋｅＶでＭｏＫαなどの中エネルギー源との効率的な統合を行うために、他の材料を使用することができる。
【００３６】
ＬｉＦ（２００）は、湾曲結晶光学素子に対して単色ビーム光束の流れを増加させることができる。ＬｉＦは広いロッキングカーブ（rocking curve）を有し、より大きな線源スポットサイズからより多くの光子を捕捉することができ、従って、より大きな線源スポットサイズからの回折効率はＳｉ結晶よりも高くなる。従って、より大きな線源スポットサイズに対し、回折光束はＳｉ結晶よりかなり大きくなる（例えば５００μｍ超）。加えて、同じ厚みに対し、ＬｉＦはＳｉよりも容易に曲げることができる。ＳｉおよびＬｉＦからなる光学素子の双方は、本明細書の他の箇所で説明するように、ヨハン幾何学設計を有することができる。
【００３７】
高エネルギーのＤＣＣ光学素子−２０７
中エネルギー光学素子は、Ｘ線源から多色スペクトルの最も強い部分である特性線を捕捉するために使用される一方、高エネルギー光学素子は、例示的Ｍｏ源からバックグラウンドないしは制動放射を捕捉するために使用され得る。制動放射強度は特性線よりもかなり低い。２つの例示的高エネルギー光学素子の実現技術が本明細書に開示される。第１の形態は層状二重湾曲結晶（ＬＤＣＣ）の光学素子の設計を必要とし、第２は単層形態の光学素子のためにＬｉＦを使用することである。ＬＤＣＣ設計は、３０〜４０ｋｅＶの範囲の広い帯域幅の制動放射エネルギーを捕捉する多層技術に基づいている。ＬＤＣＣ光学素子は、各層が隣接する狭い帯域幅を捕捉する多層構造を有していてもよい。中エネルギー光学素子で使用されるＬｉＦ結晶材料をまた、この高エネルギー光学素子に用いることもできる。光束は同じ回折結晶領域で増加する。ＬｉＦが広いロッキングカーブを有し、より厚いＬｉＦ結晶はより高い回折効率を有しているからである。中エネルギー光学素子の部分で説明したのと同様の方法で回折領域を増加させることにより、そしてより大きな立体角で集光することにより、光束を大きく改善することができる。より高い光束が望まれるのであれば、ＬｉＦ結晶の厚みを大きくすることができる。ＬｉＦを容易に曲げられるからである。ＬｉＦは、光学素子の回折効率を高めるために、Ｓｉよりもより厚い結晶として用いることができる。
【００３８】
高強度のビームを実現するために、非常に高い集光立体角（collection solid angle）を持つジオメトリが開示される。図５〜図６に示すようなこの高エネルギー光学素子のための、ＬｉＦの完全回転楕円体（fully revolved ellipsoid）による二地点間集束が開示される。全３６０度楕円対向学素子を実現するために、各々が約１２０度の回転角を持つ、同様の３つの楕円体セグメントが開示される。３つのセグメントは同じ焦点に位置合わせされ、完全回転楕円体光学素子を形成する。この設計の総集光立体角は０．０３ｓｒより大であり、これは従来の設計の４０倍程度大きい。楕円の焦点から発する点光源について入射角が僅かに変化すると、反射エネルギー帯域幅が広くなる。帯域幅は、８０ｍｍの焦点距離および４５ｍｍの光路長を有する３０ｋｅＶ光学素子について、エネルギーの約１０％であると推定される。
【００３９】
高エネルギー光学素子のためにＭｇＯ結晶材料を用いる別のアプローチについても開示される。のＭｇＯ（２２０）ウエハを用いると、面（２２０）と結晶表面との間の角度を正確に制御することができる。これにより、ヨハンソンジオメトリの段階的な近似値を使用できるようになる（本明細書の他の箇所で論じる）。ＭｇＯ（２２０）の別の利点は、ブラッグ角がＬｉＦ（２００）に比べて大きいことである。ブラッグ角を大きくすることで、光学部品の集光立体角を大きくすることができるようになる。ＭｇＯ結晶体を使用することの欠点は、積分反射率（integral reflectivity）がＬｉＦに比べて低いことである。
【００４０】
上述した集光光学素子のいずれでも、達成可能なスポットサイズを直径が約０．４ｍｍから０．８ｍｍまで、１．０ｍｍまで、２．０ｍｍまでの範囲とすれば、消費者向け製品において小さな特徴の分析を行う助けとなる。加えて、光学素子が、その形状に応じた任意の形状でスポットサイズを生成するようにすることができる。
【００４１】
光学素子実現の技術
第１の例として、上述の層状光学素子のいずれもが、ともに譲渡され２０１２年６月１５日に発行された、「X-RAY FOCUSING OPTIC HAVING MULTIPLE LAYERS WITH RESPECTIVE CRYSTAL ORIENTATIONS」と題された先願である特許文献１０（参照によりその全体が本明細書に組み込まれる）に記載される技術に応じて実現することができる。
【００４２】
図７は、その結果である、４つの完成した層（各々が自身の、所定の結晶配向性をもつ）を有する薄膜の層状構造１１１０の一部分の断面を示す。この例では４つの層が示されているが、本発明は、設計パラメータに応じて、任意の複数の層を包含することができる。そして、全ての配向が異なっている必要はない。それぞれの層の結晶配向性を予め決定することによって、全体としての構造体の回折特性を最適化することができる。
【００４３】
個々の結晶層は、個々の回折効果をもたらすことができる。これらの回折効果を別々にモデル化することができ、完成した光学素子におけるそれらの集合的な効果は最終的な設計基準に従って予測し、実現することができる。これは、各層には回折効果がないが層間の相互作用によって全体的な回折効果が生じる、オングストローム／ナノメートルの厚さの多くの層を有する公知の「多層」光学素子とは対照的である。
【００４４】
本発明の別の形態では、材料組成の異なる層を、層（またはその融合物（ｍｉｘ））の間で同じまたは異なる結晶方位をもつようにして、同じ光学素子に使用することができる。また、類似の（または同じ）材料組成の層を、この場合でも層（またはその融合物（ｍｉｘ））の間で同じまたは異なる結晶方位をもつようにして使用することができる。本発明のこれらの形態のいずれにおいても、材料−絶縁層構成（material-on-insulator）を使用することもできるし、本出願に包含される出願に記載された工程の順序に従って、隣接する結晶層を結合するべく接着剤（例えばエポキシ）層を使用することもできる。
【００４５】
構造体１１１０はその後、二重湾曲結晶（ＤＣＣ）光学素子（またはその個々のセグメント）を含む湾曲単色化光学素子に形成することができる。かかる二重湾曲光学デバイスの一実施形態は図８Ａおよび図８Ｂに示されており、２００１年９月４日に発行された特許文献７に詳細に記載されているが、参照によりその全体が本明細書に包含される。
【００４６】
積層型の光学素子構造は、次のような利点を提供する。
【００４７】
・光学素子のモザイク性やロッキング曲線が層の配向設計によって制御されること。
【００４８】
・光学素子の効率が高くなること。各層（独自のカスタム配向をもつ）は独自の視野を有することができ、その結果、合成視野によって効率が向上し、光学素子がより大きい線源スポットサイズに対応できるようになる。そして、光学素子がより大きい線源スポットサイズに対応することにより、システム実装が容易となる。
【００４９】
・光学素子の帯域幅（すなわち単色化の）が制御可能であり、有利には、特定の単色化アプリケーションで拡大可能であること。
【００５０】
別の例として、図８Ａの実施形態において、二重湾曲光学デバイスは、可撓性のある層状光学素子１１１０（または単層光学素子）、厚いエポキシ層１１１２およびバッキングプレート１１１４を含むことができる。そのデバイスの構造は、さらに、図８Ｂの立断面図に更に示されている。これらの構成は、ともに譲渡され２００１年９月４日に発行された「CURVED OPTICAL DEVICE AND METHOD OF FABRICATION」と題された特許文献７に開示されており、参照によってその全体を本明細書に包含するものとする。
【００５１】
このデバイスにおいて、エポキシ層１１１２は、可撓性層１１１０を保持し、曲率を有する選択された幾何学的形状に規制する。好ましくは、エポキシ層の厚さは２０μｍより大きく、可撓性層の厚さは５μｍよりも大きい。また、エポキシ層の厚さは、フレキシブル層の厚さよりも一般に厚い。可撓性層は、本明細書で説明するものを含め、多種多様な材料のいずれであってもよい。エポキシ層１１１２は、１０3〜１０4poiseのオーダの粘度および３０〜６０分の可使時間（pot life）を有するペースト状のものとすることができる。バッキングプレート１１１４は、エポキシとの接着性がよい固体の物質とすることができる。バッキングプレートの表面１１１８は、平坦（図８Ａ）または湾曲したものとすることができ、形状および表面仕上げが正確であることは、可撓性層の形状および表面仕上げには重要ではない。図８Ａ〜図８Ｂのデバイスでは、特別に調製されたバッキングプレートは必要とされない。
【００５２】
可撓性層の周囲には薄いプラスチックなどの保護材の薄いシート１１１６があってもよく、これは可撓性層の縁の周りで用いられている（図８Ａ参照）。保護材料は、再利用可能となるように製造金型を保護するものであり、可撓性層の正確なサイズ以下である金型、または犠牲鋳型（sacrificial mold）には不要となり得る。
【００５３】
本明細書に開示された光学素子のいずれも、単方向の曲率（単湾曲結晶；ＳＣＣ）、二方向の曲率（二重湾曲結晶；ＤＣＣ）およびその他の設計を含む応用に応じて（それらに限られるものでもないが）、いかなる方法でも成形することができる。二重湾曲結晶（ＤＣＣ）光学素子などの二重湾曲光学デバイスは、大きな立体角からＸ線を集光および集束し、Ｘ線源からの利用可能な光束を増加させる物質の分析に使用することができる。特性Ｘ線の３次元集束は、小型Ｘ線源と共に使用されるトロイダル結晶からの回折によって実現することができる。この二地点間ヨハンジオメトリは図９に示されている。各結晶光学素子１２００の回折面を結晶面に平行にすることができる。点光源および焦点を含む焦点円１２１０が半径Ｒ0を有している場合、結晶面は、例えば、線源と焦点との間に引かれた線分を中心とした半径に関し、焦点円の面内で２Ｒ0の曲率の半径Ｒと、垂直な面内でｒ＝２Ｒ0ｓｉｎ2θBragの曲率半径とを有する。線源から発散し、結晶のロッキングカーブ内の角度で結晶面に入射するＸ線は焦点または結像点で効率的に反射される。ＤＣＣベースのシステムに対する焦点での単色光束の密度は、より大きい電力源と同様の線源・対象物間距離とをもつ従来のシステムに比べて数桁増大する。この増大により、（本明細書に記載されるような）蛍光Ｘ線および回折を含む多くの異なる用途での使用に対して非常に高い感度が得られる。
【００５４】
さらに増大させるものとして、図９は、光学デバイスがローランド円の周りに格子パターン状に配置された複数の二重湾曲結晶光学セグメント１２００を備え得ることを示している。各要素は、上述したような可撓性構造体１１１０（同様の、または異なる要素同士（element-to-element）の層構造のいずれかである）。かかる構造は、ブラッグ回折を介して発散放射の捕捉および向きの変更（redirection）を最適化するように構成されてもよい。一形態では、変化する原子回折面方位を有する複数の光学結晶を、発散するＸ線を捕捉し焦点に向かって集束させるために用いることができる。他の形態では、２次元または３次元マトリックスの結晶を、３次元で発散Ｘ線を捕捉および集束させるためにＸ線源に対して位置決めすることができる。かかる構造のさらなる詳細は、２００６年４月２５日に発行され、「AN OPTICAL DEVICE FOR DIRECTING X-RAYS HAVING A PLURALITY OF OPTICAL CRYSTALS」と題された特許文献９に開示されており、参照によってその全体を本明細書に包含するものとする。
【００５５】
単層光学素子
図１０Ａ〜図１０Ｂを参照するに、別の改善案として、本発明に係る３次元「単層」光学素子１３００および１４００が示されている。上述したように、より高エネルギーの用途に対しては、ＬｉＦを光学材料に選択することが好適であり得る。高エネルギー光子は、ＬｉＦの中にさらに侵入することができるので、ＬｉＦ ＤＣＣをより厚くすることで効率をより高くすることができる。従って単層のＬｉＦからなる厚いピースはこの目的のために好ましく、同様に、曲率を維持するために必要な構造的完全性、および、配置を容易にするために、上述した支持構造への配置の容易性のためにも好ましい。
【００５６】
厚いＬｉＦウエハを３次元形状に曲げることは、本発明に係るこれらの高エネルギーＸ線光学素子を作ることの基本である。３次元の曲げを企図すると応力が発生することがあり、この応力が＜１００＞での破断応力を超えている場合、結晶に亀裂を生じさせ得る。ＬｉＦには室温でいくらかの塑性変形能があるものの、それは、一般的には機能光学素子への３次元曲げ加工を許容および維持するのに十分ではない。
【００５７】
本発明者らは、ＬｉＦは、昇温させると塑性変形し、その後は追加の支持なしで冷却時にその形状を維持する能力が増大することを見出した。本発明によれば、概ね平坦なウエハ切片は、昇温下で曲げられ、それらの成形工具（図示せず）あるいは任意の他の支持層または材料から分離し、室温での冷却した後にも、必要な精密形状を維持する。
【００５８】
例えば、加熱チャンバ内の温度を１０００℃に向かって上昇させ、あるいはさらに高くする。例えば図１０Ａ〜図１０Ｂに示した所望の光学曲率プロファイルに一致する所望の曲率をもつ光学素子成形工具（shaped optic tooling）を用いて、ＬｉＦの結晶を加熱チャンバ内の所定の位置に保持し、工具の相補的な形状に形成することができる。その後、ウエハは高温でその形状となり、成形工具（図示せず）あるいは任意の他の支持層または材料から分離し、チャンバの外側で冷却しても、その形状を保持する。
【００５９】
９８ｋｅＶという高エネルギー、および／または１２０ｋｅＶというさらに高いエネルギーをもつ単湾曲または二重湾曲の光学素子は、この方法で製造することができる。上述したように、例えば約０．５ｍｍの厚さを有するＬｉＦウエハを用いて、必要な構造的完全性を提供することができる。かかる光学素子は、例えば、図６に示す装着状態の構造体２００において、中エネルギー光学素子（２０５）および高エネルギー光学素子（２０７）として用いることができる。
【００６０】
改良された分析器システム
本発明に従い、例示的なＳＤＤ検出器、改善された線源、低エネルギー光学素子、中エネルギー光学素子および高エネルギー光学素子を用いて構成された、サンプル玩具を測定する例示的なＭＥ ＥＤＸＲＦ分析器が図１１に示されている。
【００６１】
コンプトン／レイリー（Ｃ／Ｒ）モデリングとともに単色システム用の基本的パラメータ（fundamental parameter；ＦＰ）技術を用い、上述した光学素子および／または線管によって生成された複数の単色ビームで刺激したサンプルから検出された蛍光Ｘ線データを処理することができる。ＦＰ技術は、単一のエネルギー励起ビームに基づいており、均一なバルク測定のために好適である。複数の単色ビームを用い、スペクトルの異なる部分を感知し、毒素とペイント層とを別々に基材においてデコンボリュート（de-convolute）することができる。
【００６２】
複数の単色ビーム励起に基づくエネルギー分散型蛍光Ｘ線（ＥＤ ＸＲＦ）スペクトルをフィッティングするために、スペクトルプロセッサ（ＳＰ）を使用することができる。入力に対しては、カウント数対エネルギースペクトルの検出器からの生のスペクトルデータを使用することができる。スペクトルにおける様々な構成要素を把握するために、ピークフィッティングに対するガウスモデリングなどの多くの技術を利用することができる。システムおよび検出器からのノイズも考えられる。
【００６３】
基本的パラメータ（ＦＰ）に基づく技術はまた、コーティング層の定量的分析に有用である。この技術では、吸収、蛍光および散乱は、測定された多数の要因に基づいてモデル化される。単色ビームの使用によって、多色励起に用いられるＦＰ法に比べ、計算を簡略化することができる。
【００６４】
層状モードのＦＰは、ペイント／基材サンプルの各別の組成物に分解するために、基材とペイントとの組み合わせからの、続いて基材のみからのスペクトルを必要とし得る。一つの技術的課題は、ペイント中の低原子番号元素（Ｃ，Ｈ，Ｏ）が検出できないことに起因して、単位面積当たりのペイントの質量が未知となっていることである。被覆についての単位面積当たりの質量はρｔ（密度×厚さ）と称され、毒素の質量分率を計算するために決定されるべきものである。２以上の単色ビームを用いて、ペイント中の、および独立して基材中の、そしてサンプル中の毒素濃度を判定することができる。
【００６５】
また、本発明によれば、図１２に示されるように、より小型の「ハンドヘルド」Ｘ線分析器を本発明の原理に従って実現することができる。ハンドヘルドＸ線分析器は、それらの可搬性と使いやすさの故に、ここ数年人気を得ている。また、図１２に示したものはヒューマン・インターフェース・モジュールであり、ユーザインターフェース、ＦＰプロセッサおよび／またはハンドヘルド分析器用の電源を含んでいてもよい。かかるインターフェースはまた、分析器と一体であってもよい。
【００６６】
図１３は、これらのシステムのいずれかのためのグラフィック・ユーザ・インターフェース（ＧＵＩ）の例を示している。この例示的なＧＵＩは、ユーザによるサンプルタイプの選択、１０元素の濃度および関連するスペクトルの表示を可能にするものである。ＧＵＩはまた、サンプルポジショニングを支援するために、試料のライブ画像を表示するものでもよい。図１３にはＧＵＩのスナップショットが示されている。
【００６７】
好ましい実施形態を図示および説明してきたが、本発明の精神から逸脱することなく種々の変更、追加、置換などを行うことができることは当業者には明らかであり、従ってこれらは特許請求の範囲に規定される本発明の範囲内にあると見なされるものである。
【図１】
2017134086.tif 000003
【図２】
2017134086.tif 000004
【図３】
2017134086.tif 000005
【図４】
2017134086.tif 000006
【図５】
2017134086.tif 000007
【図６】
2017134086.tif 000008
【図７】
2017134086.tif 000009
【図８Ａ】
2017134086.tif 000010
【図８Ｂ】
2017134086.tif 000011
【図９】
2017134086.tif 000012
【図１０Ａ】
2017134086.tif 000013
【図１０Ｂ】
2017134086.tif 000014
【図１１】
2017134086.tif 000015
【図１２】
2017134086.tif 000016
【図１３】
2017134086.tif 000017